(57)【要約】【課題】両端を結び合わせなくても首や頭に巻き付けた状態を保持することができるタオルを提供する。【解決手段】長方形のタオル１の構成を、一対の短辺１１ａ，１１ｂのうち一方の短辺１１ｂが折り返された状態で縫着されていることにより筒状部２０が形成されており、両面１０ａ，１０ｂのうち、少なくとも筒状部の内表面を構成する面１０ｂがパイル地である構成とする。パイル経糸は、撚り方向とは反対方向に繊維が膨らんでいる加工紡績糸とすることができる。【選択図】図１
0003224911.tif 000002
【実用新案登録請求の範囲】
【請求項１】
長方形のタオルであり、
一対の短辺の一方が折り返された状態で縫着されていることにより筒状部が形成されており、
両面のうち、少なくとも前記筒状部の内表面を構成する面がパイル地である
ことを特徴とするタオル。
【請求項２】
両面がパイル地である
ことを特徴とする請求項１に記載のタオル。
【請求項３】
パイル経糸は、撚り方向とは反対方向に繊維が膨らんでいる加工紡績糸である
ことを特徴とする請求項１または請求項２に記載のタオル。
【請求項４】
地糸の一部が、純銀を使用した銀糸である
ことを特徴とする請求項１乃至請求項３の何れか一つに記載のタオル。
【考案の詳細な説明】
【技術分野】
【０００１】
本考案は、タオルに関するものである。
【背景技術】
【０００２】
タオルは、手や身体を拭うために使用されるほか、汗おさえ、保温・防寒、ホコリよけ等を目的として、首や頭に巻いて使用されることがある。
【０００３】
しかしながら、単にタオルを首や頭に巻き付けただけでは、身体を動かしたときにタオルが外れてしまい易い。一方、首や頭に巻き付けた状態を保持するために、タオルの両端を結び合わせると、結び目が大きく嵩張って邪魔であることに加え、外観も良くない。
【考案の概要】
【考案が解決しようとする課題】
【０００４】
そこで、本考案は、上記の実情を鑑み、両端を結び合わせなくても首や頭に巻き付けた状態を保持することができるタオルの提供を、課題とする。
【課題を解決するための手段】
【０００５】
上記課題を解決するため、本考案にかかるタオルは、
「長方形のタオルであり、
一対の短辺の一方が折り返された状態で縫着されていることにより筒状部が形成されており、
両面のうち、少なくとも前記筒状部の内表面を構成する面がパイル地である」ものである。
【０００６】
本構成のタオルは、両端の一方に筒状部を有している。この筒状部は、一対の短辺の一方が折り返された状態で縫着されていることにより形成されたものである。筒状部とは反対側の端部を筒状部に挿入して引き抜けば、タオルの全体が輪状となった状態が保持される。従って、タオルの両端を結び合わせなくても、首や頭にタオルを巻き付けた状態を保持することができる。
【０００７】
加えて、タオルの両面のうち、筒状部の内表面を構成する面がパイル地である。つまり、筒状部では、内表面から内部空間に向かって多数のパイルが立ち上がっている状態である。そのため、筒状部に挿通された他端側（以下、「他端側部」と称する）と筒状部の内表面との間の摩擦抵抗が高く、他端側部が筒状部に挿通された状態を安定して保持することができる。
【０００８】
本考案にかかるタオルは、上記構成に加え、
「両面がパイル地である」ものとすることができる。
【０００９】
一般的に、タオルの片面はパイルのループがカットされたシャーリング地になっていることが多い。シャーリング地は、生地の表面の高さが揃うため、プリント加工が施しやすいためである。
【００１０】
これに対し、本構成のタオルは両面がパイル地である。従って、タオルの他端側部をどのような向きで筒状部に挿通したとしても、或いは、他端側部を折り曲げて筒状部に挿通したとしても、筒状部の内表面と他端側部との接触は、全面にわたりパイルとパイルとの接触である。これにより、他端側部と筒状部の内表面との間の摩擦抵抗が非常に高く、他端側部が筒状部に挿通された状態を、より安定して保持することができる。
【００１１】
本考案にかかるタオルは、上記構成に加え、
「パイル経糸は、撚り方向とは反対方向に繊維が膨らんでいる加工紡績糸である」ものとすることができる。
【００１２】
「加工紡績糸」は、撚り方向とは反対方向に繊維が膨らんでいることにより、繊維と繊維との間の空隙が通常の紡績糸に比べて大きい。従って、このような加工紡績糸をパイル経糸として使用している本構成のタオルは、吸水性が非常に高い。また、繊維間の空隙が大きいことにより、パイル地が全体的にふっくら、ふんわりと嵩高く肌触りが柔らかで、速乾性である。加えて、繊維間に空気の層を多く含んでいるため、保温性や断熱性にも優れている。
【００１３】
本考案にかかるタオルは、上記構成に加え、
「地糸の一部が、純銀を使用した銀糸である」ものとすることができる。
【００１４】
パイル地は、地糸（地経糸、地緯糸）とパイル経糸を織編して形成されている。本構成のタオルは、純銀を使用した銀糸を地糸の一部に使用している。銀は抗菌性が高いと共に人体への安全性が高い材料である。そのため、本構成のタオルは、銀の抗菌作用により、雑菌の増殖が抑制されており、消臭効果を有している。
【００１５】
以上のように、本考案によれば、両端を結び合わせなくても首や頭に巻き付けた状態を保持することができるタオルを、提供することができる。
【図面の簡単な説明】
【００１６】
【図１】本考案の一実施形態であるタオルの斜視図である。
【図２】本考案のタオルの使用態様を例示する図である。
【考案を実施するための形態】
【００１７】
以下、本考案の具体的な実施形態であるタオル１について、図面を用いて説明する。タオル１は長方形で、一方の端部に筒状部２０を有している。筒状部２０は、一対の短辺１１ａ，１１ｂのうち、一方の短辺１１ｂが折り返された状態で、短辺１１ｂと対面する部分とが縫着されることにより形成されている。タオル１の両端部のうち、筒状部２０が形成されている側とは反対側の部分を、他端側部３０と称する。
【００１８】
短辺１１ａ，１１ｂの長さは、一般的なフェイスタオルより短く、１０ｃｍ〜３０ｃｍとすることができる。一方の短辺１１ｂが折り返されている長さ（折り返しの山部２１と短辺１１ｂとの間の距離）は、１０ｃｍ〜２０ｃｍとすることができる。タオル１の全長（一方の短辺１１ａと山部２１との間の距離）は、一般的なフェイスタオルより長く、８５ｃｍ〜１２０ｃｍとすることができる。
【００１９】
タオル１において両方の面１０ａ，１０ｂ、すなわち、筒状部２０の内表面を構成する面１０ａと、その反対側の面１０ｂは、ともにパイル地である。
【００２０】
パイル地を形成している地糸（地経糸、地緯糸）、及び、パイル経糸のうち、地糸の一部として、純銀製の銀糸（以下、「純銀糸」と称する）が使用されている。具体的には、地緯糸の三本に一本の割合で、純銀糸が使用されている。
【００２１】
パイル経糸は、撚り方向とは反対方向に繊維が膨らんでいる加工紡績糸である。このような加工紡績糸は、紡績糸と水溶性糸とを、紡績糸の撚りとは逆方向に撚り合わせた複合撚糸を使用してタオル１を織編してから、或いは、タオル１を織編する前に、水溶性糸を溶解させたものである。このような加工紡績糸では、水溶性糸による拘束から解放された繊維が元の撚り方向に戻ろうとする際に、それまでまとまっていた繊維が離れることにより、撚り方向とは反対方向に繊維が膨らんでおり、紡績糸の繊維間に多くの空隙が生じている。
【００２２】
加工紡績糸は、上記のように水溶性糸を使用した製造方法の他、紡績単糸に水溶性の糊（接着剤）を付けて乾燥してから、元の撚り方向とは逆方向に撚って加工紡績単糸とし、この加工紡績単糸を使用してタオル１を織編する前または後に、糊を溶解除去したものであってもよい。単なる紡績単糸を元の撚りとは逆方向に撚ろうとすると、その過程での解撚によって紡績単糸を構成している繊維がほぐれて抜けてしまい、撚り数がゼロの段階を通過させることができないため、逆方向に撚ることができないところ、紡績単糸を構成している繊維がほぐれてしまうことが糊によって防止されるため、水溶性糸による拘束がなくても、紡績単糸を逆方向に撚ることが可能である。従って、水溶性の糊を溶解除去することにより、水溶性糸を用いる上記の方法と同様に、繊維間に多くの空隙が生じている加工紡績糸とすることができる。
【００２３】
上記構成のタオル１は、他端側部３０を筒状部２０に挿入して引き抜けば、タオル１の全体が輪状となった状態が保持されるため、タオル１の両端を結び合わせなくても、首や頭にタオル１を巻き付けた状態を保持することができる。
【００２４】
タオル１は両面１０ａ，１０ｂがパイル地であるため、他端側部３０をどのような向きで筒状部２０に挿通したとしても、或いは、他端側部３０を折り曲げて筒状部２０に挿通したとしても、筒状部２０の内表面と他端側部３０との接触は、全面にわたりパイルとパイルとの接触である。これにより、他端側部３０と筒状部２０の内表面との間の摩擦抵抗が非常に高く、他端側部３０が筒状部２０に挿通された状態を安定して保持することができる。
【００２５】
本構成のタオル１は、他端側部３０を筒状部２０に挿入することにより、種々の態様で首や頭に巻き付けた状態を安定的に保持することができる。例えば、図２（ａ）に示すように、タオル１を首に巻き、他端側部３０を筒状部２０に挿入することにより、マフラーのように首周りを保温することができる。また、スポーツをするときやスポーツ観戦をするときなど、野外で活動する際にこのようにタオル１を首に巻けば、日差しが首に当たることを防止し、首周りの汗をタオル１に吸収させることができる。
【００２６】
また、図２（ｂ）に示すように、筒状部２０を顎の下に位置させた状態で、広げたタオル１を頭に巻き、筒状部２０に挿通して引き抜いた他端側部３０を背中の方に流せば、ファッション性の高い防寒具として使用することができる。
【００２７】
或いは、図２（ｃ）に示すように、筒状部２０を頭の後ろに位置させた状態で、広げたタオル１を頭に巻き、他端側部３０を上方から筒状部２０に挿通して引き抜けば、おしゃれ感を醸し出しつつ、両耳を含めて頭部を保温することができる。
【００２８】
また、図２（ｄ）に示すように、筒状部２０を頭の後ろに位置させた状態で、広げたタオル１で顔を覆うように頭に巻き、他端側部３０を上方から筒状部２０に挿通して引き抜けば、マスク代わりに鼻、頬、口元を保温し、或いは、ホコリよけとして使用することができる。
【００２９】
更に、図２（ｅ）に示すように、筒状部２０を頭の後ろに位置させた状態で、幅長さが半分となるように折り曲げたタオル１を額に当て、他端側部３０を下方から筒状部２０に挿通して引き抜けば、はち巻きのように汗おさえとして使用することができる。
【００３０】
また或いは、図２（ｆ）に示すように、筒状部２０を前頭部に位置させた状態で、広げたタオル１で頭を巻き、他端側部３０を下方から筒状部２０に挿通して引き抜けば、ターバンのように頭を覆うことができるため、洗髪後に髪に付着している水分を、タオル１に吸収させることができる。
【００３１】
そして、タオル１は両面１０ａ，１０ｂがパイル地であり、パイル経糸は撚り方向とは反対方向に繊維が膨らんでいる加工紡績糸であるため、吸水性が非常に高い。また、繊維間の空隙が大きいことにより、全体的にふっくら、ふんわりと嵩高く肌触りが柔らかで、速乾性である。加えて、繊維間に空気の層を多く含んでいるため、保温性や断熱性にも優れている。
【００３２】
また、タオル１は、純銀糸を地糸の一部に使用しているため、銀の抗菌作用により、雑菌の増殖が抑制されており、消臭効果を有している。
【００３３】
加えて、パイルの隙間から純銀糸が見え、タオル１の縁ではパイル経糸が引き締められていることにより純銀糸がより目立つため、キラキラした銀の光沢によって、意匠性の高いタオル１となっている。
【００３４】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３５】
例えば、上記では、地緯糸の三本に一本の割合で純銀糸が使用されている場合を例示したが、純銀糸の割合はこれに限定されるものではなく、地経糸に純銀糸を使用することもできる。
【符号の説明】
【００３６】
１  タオル
１０ａ，１０ｂ  面（タオルの面）
１１ａ，１１ｂ  短辺
２０  筒状部
３０  他端側部
【図１】
0003224911.tif 000003
【図２】
0003224911.tif 000004